(57)【要約】【課題】  本発明は、各広告主における広告を各アフィリエイタのウェブサイトに対してリアルタイムに配信することができ、ひいては最新の広告を容易にネット訪問者の閲覧に供せしめることが可能な広告配信システムの提供を課題とする。【解決手段】  広告のために作成された広告用ＲＳＳフィードが各広告主側サーバ１から管理サーバに送信され、管理サーバ２はそれら広告用ＲＳＳフィードを所定の各アフィリエイトサーバ３に配信し、アフィリエイトサーバ３はネット訪問者の情報端末装置４に広告用ＲＳＳフィードに基づく広告を表示させる。このＲＳＳフィードは、ウェブサイトの見出しや要約などのメタデータを構造化して記述するＸＭＬサマリデータで、時系列で羅列されたテキストデータであるので、その内容を容易に随時更新し得る。このため、各広告主における広告を各アフィリエイタのウェブサイトに対してリアルタイムに配信することができる。【選択図】      図１
2006221388.tif 000002
【特許請求の範囲】
【請求項１】
広告用ＲＳＳフィードを生成する各広告主側サーバと、広告用ＲＳＳフィードを管理する管理サーバと、広告用ＲＳＳフィードをネット訪問者の情報端末装置に表示させる各アフィリエイトサーバとからなり、各広告主側サーバおよび各アフィリエイトサーバと管理サーバとがネットワークを介して通信可能な状態に接続された広告配信システムであって、
各広告主側サーバは、広告用ＲＳＳフィードを生成するＲＳＳフィード生成手段と、該ＲＳＳフィード生成手段により生成された広告用ＲＳＳフィードを記憶するＲＳＳフィード記憶手段と、該ＲＳＳフィード記憶手段に記憶されている広告用ＲＳＳフィードを管理サーバに送信するＲＳＳフィード送信手段とを備え、
前記管理サーバは、各広告主側サーバから送信されてきた広告用ＲＳＳフィードを受信するＲＳＳフィード受信手段と、該ＲＳＳフィード受信手段により受信された広告用ＲＳＳフィードを記憶するＲＳＳフィード記憶手段と、該ＲＳＳフィード記憶手段に記憶されている広告用ＲＳＳフィードを各アフィリエイトサーバに配信するＲＳＳフィード配信手段とを備え、
各アフィリエイトサーバは、前記管理サーバから配信されてきた広告用ＲＳＳフィードを受信するＲＳＳフィード受信手段と、該ＲＳＳフィード受信手段により受信されたＲＳＳフィードを記憶するＲＳＳフィード記憶手段と、該ＲＳＳフィード記憶手段に記憶されているＲＳＳフィードをネット訪問者の情報端末装置に送信し、該情報端末装置に表示されているサイト画面の所定位置にＲＳＳフィードに基づく広告画面を表示させる広告画面表示手段とを備えることを特徴とする広告配信システム。
【請求項２】
前記管理サーバは、広告用ＲＳＳフィードを所定の広告形式に加工するＲＳＳフィード加工手段を備える請求項１に記載の広告配信システム。
【請求項３】
前記管理サーバのＲＳＳフィード配信手段は、広告用ＲＳＳフィードの時系列データに基づいて、時間帯に応じて異なる広告用ＲＳＳフィードを前記アフィリエイトサーバに配信するものとなされている請求項１または請求項２に記載の広告配信システム。
【請求項４】
前記管理サーバのＲＳＳフィード配信手段は、広告用ＲＳＳフィードの時系列データに基づいて、一定期間のみ表示される広告用ＲＳＳフィードを前記アフィリエイトサーバに配信するものとなされている請求項１から請求項３のいずれかに記載の広告配信システム。
【請求項５】
前記管理サーバの前記ＲＳＳフィード配信手段は、前記アフィリエイトサーバにおいて設定されたキーワードに応じた広告用ＲＳＳフィードを前記アフィリエイトサーバに配信するものとなされている請求項１から請求項４のいずれかに記載の広告配信システム。
【請求項６】
前記管理サーバは、前記アフィリエイトサーバにおけるウェブサイトの内容をテキストマイニングするテキストマイニング手段を備え、前記ＲＳＳフィード配信手段は該テキストマイニング手段によるテキストマイニングの結果により当該ウェブサイトに応じたＲＳＳフィードを前記アフィリエイトサーバに配信するものとなされている請求項１から請求項５のいずれかに記載の広告配信システム。
【請求項７】
広告用ＲＳＳフィードを生成する各広告主側サーバと、広告用ＲＳＳフィードを管理する管理サーバと、広告用ＲＳＳフィードをネット訪問者の情報端末装置に表示させる各アフィリエイトサーバとからなり、各広告主側サーバおよび各アフィリエイトサーバと管理サーバとがネットワークを介して通信可能な状態に接続された広告配信システムにおける広告配信方法であって、
各広告主側サーバは、広告用ＲＳＳフィードをＲＳＳフィード生成手段するステップと、該ＲＳＳフィード生成手段により生成された広告用ＲＳＳフィードをＲＳＳフィード記憶手段に記憶するステップと、該ＲＳＳフィード記憶手段に記憶されている広告用ＲＳＳフィードをＲＳＳフィード送信手段により管理サーバに送信するステップとを備え、
前記管理サーバは、各広告主側サーバから送信されてきた広告用ＲＳＳフィードをＲＳＳフィード受信手段により受信するステップと、該ＲＳＳフィード受信手段により受信された広告用ＲＳＳフィードをＲＳＳフィード記憶手段に記憶するステップと、該ＲＳＳフィード記憶手段に記憶されている広告用ＲＳＳフィードをＲＳＳフィード配信手段に各アフィリエイトサーバに配信するステップとを備え、
各アフィリエイトサーバは、前記管理サーバから配信されてきた広告用ＲＳＳフィードをＲＳＳフィード受信手段により受信するステップと、該ＲＳＳフィード受信手段により受信されたＲＳＳフィードをＲＳＳフィード記憶手段に記憶するステップと、広告画面表示手段によりＲＳＳフィード記憶手段に記憶されているＲＳＳフィードをネット訪問者の情報端末装置に送信し、該情報端末装置に表示されているサイト画面の所定位置にＲＳＳフィードに基づく広告画面を表示させるステップとを備えることを特徴とする広告配信方法。
【請求項８】
広告用ＲＳＳフィードを生成する各広告主側サーバと、広告用ＲＳＳフィードをネット訪問者の情報端末装置に表示させる各アフィリエイトサーバとネットワークを介して通信可能な状態に接続された広告配信用管理サーバであって、
前記管理サーバは、各広告主側サーバから送信されてきた広告用ＲＳＳフィードを受信するＲＳＳフィード受信手段と、該ＲＳＳフィード受信手段により受信された広告用ＲＳＳフィードを記憶するＲＳＳフィード記憶手段と、該ＲＳＳフィード記憶手段に記憶されている広告用ＲＳＳフィードを各アフィリエイトサーバに配信するＲＳＳフィード配信手段とを備えることを特徴とする広告配信用管理サーバ。
【発明の詳細な説明】
【技術分野】
【０００１】
本発明は、各広告主における広告を各アフィリエイタのウェブサイトに配信し、ネット訪問者の閲覧に供せしめる広告配信システムに関する。
【背景技術】
【０００２】
近年、インターネットの普及に伴って、企業などの広告主はインターネットを利用した様々な広告を行っている。例えば、各広告主が自社のウェブサイトに商品やサービスの広告を行うだけでなく、他人（アフィリエイタという）のウェブサイトに広告用のエリアを設置してもらい、当該エリアに自社の商品やサービスの広告を掲載する広告配信システムが知られている。これにより、アフィリエイタのウェブサイトに訪れたネット訪問者は、当該ウェブサイトを閲覧する際に当該広告も閲覧することとなり、さらにその広告をクリックするとハイパーリンク機能により広告主のウェブサイトに飛ぶことができる場合もある。これにより広告主は自社のサイトのみならず、多数のアフィリエイタのサイトでも広告を行うことができる（特許文献１、２，３参照）。
【０００３】
しかしながら、上述の広告配信システムでは、アフィリエイトソースである広告用データは専用サーバに登録するため、更新の労力が高かった。このため、商品自体の宣伝はできても、商品の在庫状況に関する情報や、企業のタイムリーなニュースリリースに関する情報など、その時々の情報を配信することは事実上困難であり、広告をリアルタイムに配信することが事実上困難であるという問題があった。
【特許文献１】特開２００３−２０８５３８号公報
【特許文献２】特開２００３−２５６６０７号公報
【特許文献３】特開２００４−２１５９８号公報
【発明の開示】
【発明が解決しようとする課題】
【０００４】
ところで、個人の間で急激に増えているブログ等に代表されるように、容易にホームページを更新できるＣＭＳ（コンテンツマネージメントシステム）を企業でも導入する動きが始まっており、ＣＭＳを支える基礎技術としてＲＳＳが知られている。このＲＳＳとは、ウェブサイトの見出しや要約などのメタデータを構造化して記述するＸＭＬサマリデータで、時系列で羅列されたテキストデータである。ＲＳＳで記述された文書には、ウェブサイトの各ページのタイトル、アドレス、見出し、要約、更新時刻などを記述することができる。ＲＳＳを用いることで、多数のウェブサイトの更新情報を統一的な方法で効率的に把握できる。
【０００５】
本発明は、上述の背景技術に鑑みてなされたものであって、各広告主における広告を各アフィリエイタのウェブサイトに対してリアルタイムに配信することができ、ひいては最新の広告を容易にネット訪問者の閲覧に供せしめることが可能な広告配信システムの提供を課題とする。
【課題を解決するための手段】
【０００６】
本発明は、上記課題を解決するために、従来の広告配信システムにおいてＲＳＳ技術を適用したものである。すなわち、本発明に係る広告配信システムは、広告用ＲＳＳフィードを生成する各広告主側サーバと、広告用ＲＳＳフィードを管理する管理サーバと、広告用ＲＳＳフィードをネット訪問者の情報端末装置に表示させる各アフィリエイトサーバとからなり、各広告主側サーバおよび各アフィリエイトサーバと管理サーバとがネットワークを介して通信可能な状態に接続された広告配信システムであって、
各広告主側サーバは、広告用ＲＳＳフィードを生成するＲＳＳフィード生成手段と、該ＲＳＳフィード生成手段により生成された広告用ＲＳＳフィードを記憶するＲＳＳフィード記憶手段と、該ＲＳＳフィード記憶手段に記憶されている広告用ＲＳＳフィードを管理サーバに送信するＲＳＳフィード送信手段とを備え、
前記管理サーバは、各広告主側サーバから送信されてきた広告用ＲＳＳフィードを受信するＲＳＳフィード受信手段と、該ＲＳＳフィード受信手段により受信された広告用ＲＳＳフィードを記憶するＲＳＳフィード記憶手段と、該ＲＳＳフィード記憶手段に記憶されている広告用ＲＳＳフィードを各アフィリエイトサーバに配信するＲＳＳフィード配信手段とを備え、
各アフィリエイトサーバは、前記管理サーバから配信されてきた広告用ＲＳＳフィードを受信するＲＳＳフィード受信手段と、該ＲＳＳフィード受信手段により受信されたＲＳＳフィードを記憶するＲＳＳフィード記憶手段と、該ＲＳＳフィード記憶手段に記憶されているＲＳＳフィードをネット訪問者の情報端末装置に送信し、該情報端末装置に表示されているサイト画面の所定位置にＲＳＳフィードに基づく広告画面を表示させる広告画面表示手段とを備えることを特徴とする。
【０００７】
なお、広告用ＲＳＳフィードは、ウェブサイトの見出しや要約などのメタデータを構造化して記述するＸＭＬサマリデータで、時系列で羅列されたテキストデータであるが、ＡＴＯＭなどＲＳＳを改良したものも含む。
【０００８】
これによれば、広告のために作成された広告用ＲＳＳフィードが各広告主側サーバから管理サーバに送信され、管理サーバはそれら広告用ＲＳＳフィードを所定の各アフィリエイトサーバに配信し、アフィリエイトサーバはネット訪問者の情報端末装置に広告用ＲＳＳフィードに基づく広告を表示させる。そして、このＲＳＳフィードは、ウェブサイトの見出しや要約などのメタデータを構造化して記述するＸＭＬサマリデータで、時系列で羅列されたテキストデータであるので、その内容を容易に随時更新し得る。このため、各広告主における広告を各アフィリエイタのウェブサイトに対してリアルタイムに配信することができ、ひいては最新の広告を容易にネット訪問者の閲覧に供せしめることが可能となる。
【０００９】
また、前記管理サーバは、広告用ＲＳＳフィードを所定の広告形式に加工するＲＳＳフィード加工手段を備えるのが好ましい。
【００１０】
これによれば、例えばＲＳＳフィードの内容情報から広告に必要な情報をピックアップするなど、広告を自由に加工することができるので、各アフィリエイトサーバのウェブサイトに応じた効率的な広告配信がより可能となる。
【００１１】
また、前記管理サーバのＲＳＳフィード配信手段は、広告用ＲＳＳフィードの時系列データに基づいて、時間帯に応じて異なる広告用ＲＳＳフィードを前記アフィリエイトサーバに配信するものとなされているのが好ましい。
【００１２】
これによれば、例えば昼間の時間帯では昼間に適した広告を配信し、夜間の時間帯では夜間に適した広告を配信するなど、時間帯に応じた広告の配信が可能となる。
【００１３】
また、前記管理サーバのＲＳＳフィード配信手段は、広告用ＲＳＳフィードの時系列データに基づいて、一定期間のみ表示される広告用ＲＳＳフィードを前記アフィリエイトサーバに配信するものとなされているのが好ましい。
【００１４】
これによれば、例えば３日間だけの期間セールの広告を配信するなど、一定期間のみの広告の配信が可能となる。
【００１５】
また、前記管理サーバの前記ＲＳＳフィード配信手段は、前記アフィリエイトサーバにおいて設定されたキーワードに応じた広告用ＲＳＳフィードを前記アフィリエイトサーバに配信するものとなされているのが好ましい。
【００１６】
これによれば、アフィリエイタが設定したキーワードに応じた広告用ＲＳＳフィードを配信するので、アフィリエイタが希望する広告の配信が可能となる。
【００１７】
また、前記管理サーバは、前記アフィリエイトサーバにおけるウェブサイトの内容をテキストマイニングするテキストマイニング手段を備え、前記ＲＳＳフィード配信手段は該テキストマイニング手段によるテキストマイニングの結果により当該ウェブサイトに応じたＲＳＳフィードを前記アフィリエイトサーバに配信するものとなされているのが好ましい。
【００１８】
これによれば、管理サーバがアフィリエイトサーバのウェブサイトの内容をテキストマイニングするので、当該ウェブサイトの内容に応じた広告の配信が可能となる。
【００１９】
また、本発明に係る広告配信方法は、広告用ＲＳＳフィードを生成する各広告主側サーバと、広告用ＲＳＳフィードを管理する管理サーバと、広告用ＲＳＳフィードをネット訪問者の情報端末装置に表示させる各アフィリエイトサーバとからなり、各広告主側サーバおよび各アフィリエイトサーバと管理サーバとがネットワークを介して通信可能な状態に接続された広告配信システムにおける広告配信方法であって、
各広告主側サーバは、広告用ＲＳＳフィードをＲＳＳフィード生成手段するステップと、該ＲＳＳフィード生成手段により生成された広告用ＲＳＳフィードをＲＳＳフィード記憶手段に記憶するステップと、該ＲＳＳフィード記憶手段に記憶されている広告用ＲＳＳフィードをＲＳＳフィード送信手段により管理サーバに送信するステップとを備え、
前記管理サーバは、各広告主側サーバから送信されてきた広告用ＲＳＳフィードをＲＳＳフィード受信手段により受信するステップと、該ＲＳＳフィード受信手段により受信された広告用ＲＳＳフィードをＲＳＳフィード記憶手段に記憶するステップと、該ＲＳＳフィード記憶手段に記憶されている広告用ＲＳＳフィードをＲＳＳフィード配信手段に各アフィリエイトサーバに配信するステップとを備え、
各アフィリエイトサーバは、前記管理サーバから配信されてきた広告用ＲＳＳフィードをＲＳＳフィード受信手段により受信するステップと、該ＲＳＳフィード受信手段により受信されたＲＳＳフィードをＲＳＳフィード記憶手段に記憶するステップと、広告画面表示手段によりＲＳＳフィード記憶手段に記憶されているＲＳＳフィードをネット訪問者の情報端末装置に送信し、該情報端末装置に表示されているサイト画面の所定位置にＲＳＳフィードに基づく広告画面を表示させるステップとを備えることを特徴とする。
【００２０】
これによれば、広告のために作成された広告用ＲＳＳフィードが各広告主側サーバから管理サーバに送信され、管理サーバはそれら広告用ＲＳＳフィードを所定の各アフィリエイトサーバに配信し、アフィリエイトサーバはネット訪問者の情報端末装置に広告用ＲＳＳフィードに基づく広告を表示させる。そして、このＲＳＳフィードは、ウェブサイトの見出しや要約などのメタデータを構造化して記述するＸＭＬサマリデータで、時系列で羅列されたテキストデータであるので、その内容を容易に随時更新し得る。このため、各広告主における広告を各アフィリエイタのウェブサイトに対してリアルタイムに配信することができ、ひいては最新の広告を容易にネット訪問者の閲覧に供せしめることが可能となる。
【００２１】
また、本発明に係る広告配信用管理サーバは、広告用ＲＳＳフィードを生成する各広告主側サーバと、広告用ＲＳＳフィードをネット訪問者の情報端末装置に表示させる各アフィリエイトサーバとネットワークを介して通信可能な状態に接続された広告配信用管理サーバであって、
前記管理サーバは、各広告主側サーバから送信されてきた広告用ＲＳＳフィードを受信するＲＳＳフィード受信手段と、該ＲＳＳフィード受信手段により受信された広告用ＲＳＳフィードを記憶するＲＳＳフィード記憶手段と、該ＲＳＳフィード記憶手段に記憶されている広告用ＲＳＳフィードを各アフィリエイトサーバに配信するＲＳＳフィード配信手段とを備えることを特徴とする。
【００２２】
これによれば、この広告配信用管理サーバを広告主側サーバとアフィリエイトサーバに通信可能な状態に接続されば、上記広告配信システムを実現することができる。
【発明の効果】
【００２３】
本発明によれば、広告のために作成された広告用ＲＳＳフィードが各広告主側サーバから管理サーバに送信され、管理サーバはそれら広告用ＲＳＳフィードを所定の各アフィリエイトサーバに配信し、アフィリエイトサーバはネット訪問者の情報端末装置に広告用ＲＳＳフィードに基づく広告を表示させる。そして、このＲＳＳフィードは、ウェブサイトの見出しや要約などのメタデータを構造化して記述するＸＭＬサマリデータで、時系列で羅列されたテキストデータであるので、その内容を容易に随時更新し得る。このため、各広告主における広告を各アフィリエイタのウェブサイトに対してリアルタイムに配信することができ、ひいては最新の広告を容易にネット訪問者の閲覧に供せしめることが可能となる。
【発明を実施するための最良の形態】
【００２４】
次に本発明の一実施形態に係る広告配信システムについて説明する。
【００２５】
図１は、この広告配信システムの構成概略図である。
【００２６】
この広告配信システムは、広告用ＲＳＳフィードを生成する各広告主側サーバ（１）と、広告用ＲＳＳフィードを管理する管理サーバ（２）と、広告用ＲＳＳフィードを表示する各アフィリエイトサーバ（３）とからなり、各広告主側サーバ（１）および各アフィリエイトサーバ（３）と管理サーバ（２）とがネットワークを介して通信可能な状態に接続されている。
【００２７】
なお、ネットワークは、例えばＴＣＰ／ＩＰプロトコルのインターネットといった通信網であるが、各広告主側サーバ（１）および各アフィリエイトサーバ（３）と管理サーバ（２）とを相互に接続可能なものであればどのようなネットワークでも適用可能である。また、本実施形態では、説明の便宜上、各広告主側サーバ（１）を３台、アフィリエイトサーバ（３）を２台としているが、いずれもその他の台数存在してもよい。
【００２８】
前記広告主側サーバ（１）は、各部を統括的に制御する制御部（１１）と、ネット訪問者の情報端末装置（４）や管理サーバ（２）と各種通信を実行する通信部（１２）と、広告主のウェブサイトのホームページに関するデータ（例えばＨＴＭＬやＸＭＬ、以下ＨＰデータという）を記憶するＨＰデータ記憶部（１３）と、ネット訪問者の情報端末装置（４）にサイト画面を表示させるサイト画面表示部（１４）とを備える。
【００２９】
前記サイト画面表示部（１４）は、ネット訪問者の情報端末装置（４）からネットワークを介してアクセスがあった場合、前記ＨＰデータ記憶部（１３）に記憶されているＨＰデータを通信部を介してネット訪問者の情報端末装置（４）に送信し、該情報端末装置（４）に所定のサイト画面を表示させる。なお、本実施形態では、サイト画面表示部（１４）は前記制御部（１１）内に含まれている。
【００３０】
また、前記広告主側サーバ（１）は、広告用ＲＳＳフィードを生成するＲＳＳフィード生成部（１５）と、該ＲＳＳフィード生成部（１５）により生成された広告用ＲＳＳフィードを記憶するＲＳＳフィード記憶部（１６）と、該ＲＳＳフィード記憶部（１６）に記憶されている広告用ＲＳＳフィードを管理サーバ（２）に送信するＲＳＳフィード送信部（１７）とを備える。
【００３１】
前記ＲＳＳフィード生成部（１５）は、広告に用いる広告用ＲＳＳフィードを生成するものである。この広告用ＲＳＳフィードは、ウェブサイトの見出しや要約などのメタデータを構造化して記述するＸＭＬサマリデータで、時系列で羅列されたテキストデータである。広告用ＲＳＳフィードとしては、例えば商品の在庫、広告主のニュースリリース、セミナー情報、企画日記など挙げられる。なお、広告用ＲＳＳフィードは、本システム専用に作成されたものであってもよいし、ウェブサイトの作成時に付随して作成されるものであってもよく、要は広告のソースとして利用できるものあればよい。
【００３２】
前記ＲＳＳフィード送信部（１７）は、前記ＲＳＳフィード記憶部（１６）に記憶されている広告用ＲＳＳフィードを管理サーバ（２）にネットワークを介して送信するものである。この広告用ＲＳＳフィードの送信方法としては、更新ごとに広告用ＲＳＳフィードを送信する方法、一定時間ごとに広告用ＲＳＳフィードを送信する方法、あるいは管理サーバ（２）からの要求に応じて広告用ＲＳＳフィードを送信する方法などが挙げられる。なお、本実施形態では、ＲＳＳフィード送信部（１７）は通信部（１２）に含まれている。
【００３３】
前記管理サーバ（２）は、各部を統括的に制御する制御部（２１）と、各広告主側サーバ（１）や各アフィリエイトサーバ（３）と各種通信を実行する通信部（２２）と、各広告主側サーバ（１）から送信されてきた広告用ＲＳＳフィードを受信するＲＳＳフィード受信部（２３）と、該ＲＳＳフィード受信部（２３）により受信された広告用ＲＳＳフィードを記憶するＲＳＳフィード記憶部（２４）と、該ＲＳＳフィード記憶部（２４）に記憶されている広告用ＲＳＳフィードを所定の各アフィリエイトサーバ（３）に配信するＲＳＳフィード配信部（２５）とを備える。なお、本実施形態では、ＲＳＳフィード受信部（２３）とＲＳＳフィード配信部（２５）は通信部（２２）に含まれる。
【００３４】
前記ＲＳＳフィード配信部（２５）は、広告用ＲＳＳフィードを各アフィリエイトサーバ（３）にそのまま配信する方法でもよいし、あるいはその他の配信方法であってもよい。例えば、ＲＳＳフィード配信部（２５）は、時間帯に応じて異なる広告用ＲＳＳフィードを前記アフィリエイトサーバ（３）に配信する方法、定期間のみ表示される広告用ＲＳＳフィードを前記アフィリエイトサーバ（３）に配信する方法、前記アフィリエイトサーバ（３）において設定されたキーワードに応じた広告用ＲＳＳフィードを前記アフィリエイトサーバ（３）に配信する方法などが挙げられる。
【００３５】
前記アフィリエイトサーバ（３）は、各部を統括的に制御する制御部（３１）と、管理サーバ（２）やネット訪問者の情報端末装置（４）と各種通信を実行する通信部（３２）と、アフィリエイトサイトのホームページに関するデータ（例えばＨＴＭＬやＸＭＬ、以下ＨＰデータという）を記憶するＨＰデータ記憶部（３３）と、ネット訪問者の情報端末装置（４）にサイト画面を表示させるサイト画面表示部（３４）とを備える。
【００３６】
前記サイト画面表示部（３４）は、ネット訪問者の情報端末装置（４）からネットワークを介してアクセスがあった場合、前記ＨＰデータ記憶部（３３）に記憶されているＨＰデータを通信部（３２）を介してネット訪問者の情報端末装置（４）に送信し、該情報端末装置（４）にサイト画面を表示させる。なお、本実施形態では、サイト画面表示部（３４）は前記制御部（３１）内に含まれている。
【００３７】
また、前記アフィリエイトサーバ（３）は、管理サーバ（２）から配信されてきた広告用ＲＳＳフィードを受信する広告用ＲＳＳフィード受信部（３５）と、該ＲＳＳフィード受信部（３５）により受信された広告用ＲＳＳフィードを記憶するＲＳＳフィード記憶部（３６）と、ネット訪問者の情報端末装置（４）に広告画面を表示させる広告画面表示部（３７）とを備える。なお、本実施形態では、ＲＳＳフィード受信部（３５）は通信部（３２）に含まれている。
【００３８】
前記広告画面表示部（３７）は、前記ＲＳＳフィード記憶部（３６）に記憶されている広告用ＲＳＳフィードを通信部（３２）を介してネット訪問者の情報端末装置（４）に送信し、該情報端末装置（４）に表示されているサイト画面の所定位置において広告用ＲＳＳフィードに基づく広告画面を表示させる。なお、本実施形態では、広告画面表示部（３７）は制御部（３１）内に含まれている。
【００３９】
この広告画面の表示方法としては、サイト画面内の所定エリア位置にそのまま表示させる方法、サイト画面が起動したときに別画面で表示させる方法、あるいはサイト画面内に表示されている検索窓の枠内に表示させる方法が挙げられる。例えば、第３の表示方法の具体例を挙げると、図５に示すように、サイト画面内に表示されている検索窓の下部位置に広告画面を表示させる方法がある。なお、本実施形態では、この広告画像は商品の在庫状況をリアルタイムに表示したものであるが、特にこれに限定されるものではなく、広告主のニュースリリース、セミナー情報、企画日記、あるいはマガジン情報などをリアルタイムに表示したものであってもよい。
【００４０】
なお、管理サーバ（２）は、広告用ＲＳＳフィードを所定の広告形式に加工するＲＳＳフィード加工部を備えるものとしてもよい。これによれば、例えば広告用ＲＳＳフィードの内容情報から広告に必要な情報をピックアップするなど、広告を自由に加工することができるので、各アフィリエイトサーバのウェブサイトに応じた効率的な広告配信がより可能となる。
【００４１】
また、前記管理サーバ（２）は、前記アフィリエイトサーバ（３）におけるウェブサイトの内容をテキストマイニングするテキストマイニング部を備え、前記ＲＳＳフィード配信部（２５）は該テキストマイニング手段によるテキストマイニングの結果により当該ウェブサイトに応じた広告用ＲＳＳフィードを前記アフィリエイトサーバ（３）に配信してもよい。これによれば、管理サーバ（２）がアフィリエイトサーバ（３）のウェブサイトの内容をテキストマイニングするので、当該ウェブサイトの内容に応じた広告の配信が可能となる。
【００４２】
また、各サーバの制御部は、中央演算処理装置（ＣＰＵ）から構成され、ＲＯＭ（Read Only Memory）やハードディスクに記憶されたプログラムを実行する。また、記憶媒体に記憶されたプログラムで読み取ったり、あるいは所定の情報端末装置からネットワークを介して送信されてきたプログラムを読み取ることにより、各サーバが各種プログラムを実行することができる。記憶媒体は、例えば、光磁気ディスク、デジタルビデオディスク、コンパクトディスク、フロッピー（登録商標）ディスクなどがある。
【産業上の利用可能性】
【００４３】
本発明は、インターネットなどのネットワークにおける各種広告に適用可能である。
【図面の簡単な説明】
【００４４】
【図１】本発明の一実施形態に係る広告配信システムの構成概略図である。
【図２】広告主側サーバのハードウェア構成を示すブロック図である。
【図３】管理サーバのハードウェア構成を示すブロック図である。
【図４】アフィリエイトサーバのハードウェア構成を示すブロック図である。
【図５】広告画面の一例を示す図である。
【符号の説明】
【００４５】
１・・・広告主側サーバ
２・・・管理サーバ
３・・・アフィリエイトサーバ
４・・・ネット訪問者の情報端末装置
【図１】
2006221388.tif 000003
【図２】
2006221388.tif 000004
【図３】
2006221388.tif 000005
【図４】
2006221388.tif 000006
【図５】
2006221388.tif 000007